【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
第一の情報処理装置と第二の情報処理装置がネットワークを介して接続され、同じコンテンツがそれぞれの情報処理装置の画面に表示される画面共有サービス提供システムであって、
前記第一の情報処理装置は前記コンテンツに対する入力操作の操作情報を含む送信データを送信する通信制御手段
を有し、
前記第二の情報処理装置は前記入力操作に基づいて前記コンテンツが表示された画面上に表示オブジェクトを描画する描画手段
を有し、
前記第一の情報処理装置の画面に表示された前記コンテンツに対する入力操作を前記第二の情報処理装置の画面に表示された前記コンテンツに対して反映させるための設定指示を前記第一の情報処理装置において受け付け、
前記設定指示の受け付けに応じた設定に基づいて、前記第一の情報処理装置は前記通信制御手段によって前記操作情報を含む送信データを前記第二の情報処理装置へ送信し、
前記第二の情報処理装置は前記第一の情報処理装置から送信された送信データを受信し、該受信した送信データに含まれる操作情報に基づいて、前記描画手段により表示オブジェクトを描画すること、
を特徴とする画面共有サービス提供システム。
【請求項２】
前記第一の情報処理装置は、ページ送り操作を受け付けた場合、ページ送り後に表示するページを識別するページ識別情報を含む送信データを前記通信制御手段によって前記第二の情報処理装置へ送信する
ことを特徴とする請求項１に記載の画面共有サービス提供システム。
【請求項３】
前記第一の情報処理装置は、ポインタ操作を受け付けた場合、画面上のポインタ位置にあたるポインタ位置情報を含む送信データを前記通信制御手段によって前記第二の情報処理装置へ送信する
ことを特徴とする請求項１又は２に記載の画面共有サービス提供システム。
【請求項４】
前記第一の情報処理装置が、
前記入力操作の操作情報を含む送信データを生成する送信データ生成手段
をさらに有し、
前記通信制御手段は前記送信データ生成手段によって生成された送信データを送信する
ことを特徴とする請求項１ないし3のいずれか一項に記載の画面共有サービス提供システム。
【請求項５】
前記第一の情報処理装置は、入力操作の開始から終了までの画面上の軌跡を示す複数の座標値を、前記操作情報として所定の記憶領域に記録し、入力操作の操作時間を計測し、入力操作が終了した場合に、前記送信データ生成手段により、記録した複数の座標値及び計測した操作時間を含む送信データを生成し、前記送信データを、前記第二の情報処理装置へと送信する
ことを特徴とする請求項４に記載の画面共有サービス提供システム。
【請求項６】
前記第二の情報処理装置は、受信データに含まれる操作時間に所定の係数を乗算することで、表示オブジェクトの描画時間を算出し、前記描画手段により、算出した描画時間内に、受信データに含まれる操作情報に従って、表示オブジェクトを描画する
ことを特徴とする請求項５に記載の画面共有サービス提供システム。
【請求項７】
前記第二の情報処理装置は、前記操作時間と反比例の関係を有し、値の範囲が０より大きく１より小さい係数を用いて、表示オブジェクトの描画時間を算出する
ことを特徴とする請求項６に記載の画面共有サービス提供システム。
【請求項８】
前記第一の情報処理装置は、設定指示の受け付けに従って、前記第一の情報処理装置および前記第二の情報処理装置間における画面共有または画面非共有の画面共有モードを切り換える共有モード切換手段
を有し、
前記共有モード切換手段により、画面共有モードが画面共有から非共有に切り換えられた場合に、受信データを所定の記憶領域に記録し、前記共有モード切換手段により、画面共有モードが非共有から画面共有に切り換えられた場合に、前記描画手段により、記録した受信データに含まれる操作情報に従って、表示オブジェクトを描画する
ことを特徴とする請求項１ないし７のいずれか一項に記載の画面共有サービス提供システム。
【請求項９】
複数の情報処理装置がネットワークを介して接続され、同じコンテンツがそれぞれの情報処理装置の画面に表示される画面共有サービス提供システムにおいて、データ送信を行う情報処理装置であって、
前記コンテンツに対する入力操作の操作情報を含む送信データを送信する通信制御手段と、
前記入力操作に基づいて前記コンテンツが表示された画面上に表示オブジェクトを描画する描画手段と、
を有し、
前記データ送信を行う情報処理装置の画面に表示された前記コンテンツに対する入力操作を他の情報処理装置の画面に表示された前記コンテンツに対して反映させるための設定指示を受け付け、
前記設定指示の受け付けに応じた設定に基づいて前記通信制御手段によって前記操作情報を含む送信データを前記他の情報処理装置へ送信すること、
を特徴とする情報処理装置。
【請求項１０】
複数の情報処理装置がネットワークを介して接続され、同じコンテンツがそれぞれの情報処理装置の画面に表示される画面共有サービス提供システムにおいて、データ送信を行う情報処理装置を、
前記コンテンツに対する入力操作の操作情報を含む送信データを送信する通信制御手段と、
前記入力操作に基づいて前記コンテンツが表示された画面上に表示オブジェクトを描画する描画手段として機能させ、
前記データ送信を行う情報処理装置の画面に表示された前記コンテンツに対する入力操作を他の情報処理装置の画面に表示された前記コンテンツに対して反映させるための設定指示を受け付け、
前記設定指示の受け付けに応じた設定に基づいて前記通信制御手段によって前記操作情報を含む送信データを前記他の情報処理装置へ送信するように動作させること、
を特徴とするプログラム。
【請求項１１】
第一の情報処理装置と第二の情報処理装置がネットワークを介して接続され、同じコンテンツがそれぞれの情報処理装置の画面に表示される画面共有サービス提供システムであって、
前記第一の情報処理装置は、
前記コンテンツに対する入力操作の操作情報を含む送信データを送信する通信制御手段
を有し、
前記第二の情報処理装置は、
前記入力操作に基づいて前記コンテンツが表示された画面上に表示オブジェクトを描画する描画手段
を有する画面共有サービス提供システムにおいて、
前記第一の情報処理装置の画面に表示された前記コンテンツに対する入力操作を前記第二の情報処理装置の画面に表示された前記コンテンツに対して反映させるための設定指示を前記第一の情報処理装置において受け付けるステップと、
前記設定指示の受け付けに応じた設定に基づいて、前記第一の情報処理装置が前記通信制御手段によって前記操作情報を含む送信データを前記第二の情報処理装置へ送信するステップと、
前記第二の情報処理装置が前記第一の情報処理装置から送信された送信データを受信するステップと、
前記第二の情報処理装置が前記受信した送信データに含まれる操作情報に基づいて、前記描画手段により表示オブジェクトを描画するステップと、
を実行させること特徴とする画面共有サービス提供方法。
【手続補正２】
【補正対象書類名】明細書
【補正対象項目名】発明の名称
【補正方法】変更
【補正の内容】
【発明の名称】画面共有サービス提供システム、情報処理装置、画面共有サービス提供方法、及びプログラム」
【手続補正３】
【補正対象書類名】明細書
【補正対象項目名】０００８
【補正方法】変更
【補正の内容】
【０００８】
上記目的を達成するため、本発明に係る画面共有サービス提供システムは、
第一の情報処理装置と第二の情報処理装置がネットワークを介して接続され、同じコンテンツがそれぞれの情報処理装置の画面に表示される画面共有サービス提供システムであって、
前記第一の情報処理装置は前記コンテンツに対する入力操作の操作情報を含む送信データを送信する通信制御手段
を有し、
前記第二の情報処理装置は前記入力操作に基づいて前記コンテンツが表示された画面上に表示オブジェクトを描画する描画手段
を有し、
前記第一の情報処理装置の画面に表示された前記コンテンツに対する入力操作を前記第二の情報処理装置の画面に表示された前記コンテンツに対して反映させるための設定指示を前記第一の情報処理装置において受け付け、
前記設定指示の受け付けに応じた設定に基づいて、前記第一の情報処理装置は前記通信制御手段によって前記操作情報を含む送信データを前記第二の情報処理装置へ送信し、
前記第二の情報処理装置は前記第一の情報処理装置から送信された送信データを受信し、該受信した送信データに含まれる操作情報に基づいて、前記描画手段により表示オブジェクトを描画すること、
を特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】